(57)【要約】      （修正有）【課題】ガラス素子の移動が容易で、かつガラス素子の配置位置の誤りを防止できる放射線量測定システムを提供する。【解決手段】放射線が照射された複数のガラス素子Ｇがそれぞれ収納される複数のホルダー１０と、複数のガラス素子を収容する収容部を有し、収容部が複数の前記ガラス素子を収容した状態で放射線量を測定する測定機５０内に載置される読取マガジン３０と、複数のホルダーと読取マガジンとの間で、ガラス素子の配列を維持したまま、複数のガラス素子を移送するガラス素子移送治具４０と、を有する放射線量測定システム１である。【選択図】図１
2014173879.tif 000002
【特許請求の範囲】
【請求項１】
放射線が照射された複数のガラス素子がそれぞれ収納される複数のカプセルと、
複数の前記ガラス素子を収容する収容部が設けられ、前記収容部に複数の前記ガラス素子を収容した状態で放射線量を測定する測定機内に載置される読取マガジンと、
複数の前記カプセルと前記読取マガジンとの間で、前記ガラス素子の配列を維持したまま、複数の前記ガラス素子を移送するガラス素子移送治具と、を有する放射線量測定システム。
【請求項２】
複数の前記カプセルが保持されるカプセルブロックをさらに有し、
前記カプセルブロック及び前記読取マガジンは、前記ガラス素子移送治具に着脱可能であって、
前記カプセルブロックは、前記カプセルの一端に形成される前記ガラス素子が通過可能な開口部と連通され前記ガラス素子を前記カプセルから前記ガラス素子移送治具へ移送可能な第１の経路を有し、
前記ガラス素子移送治具は、前記第１の経路から移送される前記ガラス素子を前記読取マガジンの前記収容部に移送する第２の経路を有する請求項１に記載の放射線量測定システム。
【請求項３】
前記ガラス素子移送治具は、前記第１の経路及び前記第２の経路を傾斜させる回動部をさらに有し、複数の前記ガラス素子の移送は重力によって行われる請求項２に記載の放射線量測定システム。
【請求項４】
前記第２の経路は、前記第１の経路に略平行であって一端が前記第１の経路に連通し他端が閉塞する閉塞部を有する第１通路、及び前記第１通路に交差し一端が前記第１通路に連通し他端が前記収容部に連通する第２通路を有し、
前記ガラス素子移送治具は、前記第２通路及び前記収容部の間に設けられ、前記ガラス素子の落下を防止しつつスライドされることによって前記ガラス素子を前記収容部に移送するシャッターをさらに有する請求項２または３に記載の放射線量測定システム。
【請求項５】
前記カプセルブロックは複数の前記カプセルを、複数段かつ前記第１の経路と交差する方向から見て前記第１の経路が重ならないように、互い違いに保持する請求項２〜４のいずれか１項に記載の放射線量測定システム。
【請求項６】
前記ガラス素子及び前記カプセルの少なくとも一方には、複数の前記ガラス素子の個数に対応する通し番号の情報が組み込まれた２次元コードが付され、
前記２次元コードを読み取る読取装置、及び前記読取装置により前記２次元コードを読み取って得られる前記通し番号を含むテーブルを作製する制御装置をさらに有し、
前記測定機は、前記測定機によって測定された放射線量データを前記通し番号に対応付けて前記テーブルに順次書き込む請求項１〜５のいずれか１項に記載の放射線量測定システム。
【請求項７】
前記ガラス素子及び前記カプセルには、前記ガラス素子及び前記カプセルを対応付けるための情報が付されている請求項１〜６に記載の放射線量測定システム。
【発明の詳細な説明】
【技術分野】
【０００１】
本発明は、放射線量測定システムに関する。
【背景技術】
【０００２】
放射線は、医療分野、原子力発電など様々な分野で利用されている。特に、医療分野においては、がんの治療法として放射線治療が行われており、がんを切らずに治療できるため、肉体的負担が少なく術後の生活品質の低下を防ぐことができる。しかしながら、ある閾値を越えて放射線を被ばくすると人体に影響を及ぼす可能性があるため、被ばくした放射線量を正確に測定する必要がある。
【０００３】
これに関連する技術として、例えば特許文献１には、放射線の線量計として蛍光ガラス素子が用いられる技術が開示されている。蛍光ガラス素子は、銀イオンを含有したリン酸塩ガラスからなり、放射線が照射されて活性化された蛍光ガラス素子は、波長３００ｎｍ〜４００ｎｍの紫外線が照射されることによって、励起され蛍光を発する（ラジオフォトルミネッセンス現象）。このとき発せられる蛍光の強度が照射された放射線量に比例することから、当該蛍光の強度を検出することにより、放射線量を測定することができる。
【先行技術文献】
【特許文献】
【０００４】
【特許文献１】特開２００３―７５５３５号公報
【発明の概要】
【発明が解決しようとする課題】
【０００５】
特許文献１に記載の技術では、放射線が照射された蛍光ガラス素子を測定用のマガジンに載置する際、一般的に作業者はピンセットによってカプセルに収納された蛍光ガラス素子を取り出し、マガジンに載置している。したがって、蛍光ガラス素子の移動が困難であり、かつ蛍光ガラス素子をマガジン上の誤った位置に配置する可能性があるという問題がある。
【０００６】
本発明は、上記の課題を解決するためになされたものであり、ガラス素子の移動が容易で、かつガラス素子の配置位置の誤りを防止できる放射線量測定システムを提供することを目的とする。
【課題を解決するための手段】
【０００７】
上記目的を達成する本発明に係る放射線量測定システムは、放射線が照射された複数のガラス素子がそれぞれ収納される複数のカプセルと、複数の前記ガラス素子を収容する収容部を有し、前記収容部が複数の前記ガラス素子を収容した状態で放射線量を測定する測定機内に載置される読取マガジンと、複数の前記カプセルと前記読取マガジンとの間で、前記ガラス素子の配列を維持したまま、複数の前記ガラス素子を移送するガラス素子移送治具と、を有する放射線量測定システムである。
【発明の効果】
【０００８】
上記のように構成した放射線量測定システムであれば、ガラス素子移送治具によってガラス素子の配列を維持したまま、カプセルと読取マガジンとの間で、ガラス素子を移送することができる。このため、ガラス素子の移動が容易で、かつガラス素子の配置位置の誤りを防止できる放射線量測定システムを提供することができる。
【図面の簡単な説明】
【０００９】
【図１】本発明の実施形態に係る放射線量測定システムを示す概略図である。
【図２】本実施形態に係るガラス素子、カプセル及びプラグを示す斜視図である。
【図３】図３（Ａ）は、本実施形態に係るカプセルブロックを示す側面図であって、図３（Ｂ）は、図３（Ａ）のＢ−Ｂ線に沿う断面図である。
【図４】カプセルブロックの保持穴に、ガラス素子及びカプセルが保持された状態を示す断面図である。
【図５】本実施形態に係る読取マガジンを示す斜視図である。
【図６（Ａ）】本実施形態に係るガラス素子移送治具を示す上面図である。
【図６（Ｂ）】本実施形態に係るガラス素子移送治具を示す正面図である。
【図７】本実施形態に係る測定機を示す斜視図である。
【図８】本実施形態に係る耐熱性の金属トレーを示す上面図である。
【図９】カプセルブロックを保持部に挿入する前後の状態を示す上面図である。
【図１０】読取マガジンが載置された載置部が第２の場所から第１の場所に移動する前後の状態を示す上面図である。
【図１１】ガラス素子が第１通路を滑り落ちる様子を示す概略図である。
【図１２】シャッターを半周期だけ移動させてガラス素子を落下させ、収容部にガラス素子を収容する様子を示す概略図である。
【図１３】読取マガジンが載置された載置部が第１の場所から第２の場所に移動された後の状態を示す概略図である。
【図１４】表示部に表示されるテーブルの一例を示す図である。
【図１５】シャッターを半周期だけ移動させてガラス素子を落下させ、閉塞部にガラス素子が配置される様子を示す概略図である。
【図１６】ガラス素子が第１通路を滑り落ちる様子を示す概略図である。
【発明を実施するための形態】
【００１０】
以下、図面を参照して、本発明の実施形態を説明する。なお、図面の寸法比率は、説明の都合上、誇張されて実際の比率とは異なる場合がある。
【００１１】
図１は、本発明の実施形態に係る放射線量測定システム１を示す概略図である。
【００１２】
本実施形態に係る放射線量測定システム１は、概説すると、図１に示すように、放射線が照射された複数個（例えば２０個）のガラス素子Ｇがそれぞれ収納される２０個のカプセル１０と、２０個のガラス素子Ｇを収容する収容部３１が設けられ収容部３１に２０個のガラス素子Ｇを収容した状態で放射線量を測定する測定機５０内に載置される読取マガジン３０と、２０個のカプセル１０と読取マガジン３０との間で、ガラス素子Ｇの配列を維持したまま、２０個のガラス素子Ｇを移送するガラス素子移送治具４０と、を有する。以下、詳述する。
【００１３】
放射線量測定システム１は、図１に示すように、２０個のカプセル１０、カプセルブロック２０、読取マガジン３０、ガラス素子移送治具４０、測定機５０、読取装置６０、制御装置７０及び電気炉８０を有する。
【００１４】
図２は、本実施形態に係るガラス素子Ｇ、カプセル１０及びプラグ９０を示す斜視図である。
【００１５】
ガラス素子Ｇは、照射された放射線量を測定するための検出素子であり、銀イオンを含有したリン酸塩ガラスからなる。放射線が照射されて活性化されたガラス素子Ｇは、波長３００ｎｍ〜４００ｎｍの紫外線の照射により励起されることによって蛍光を発する。
【００１６】
カプセル１０は、放射線が照射された２０個のガラス素子Ｇをそれぞれ収納する。カプセル１０は、図２に示すように、一端に形成されガラス素子Ｇが通過可能な開口部１１を有する。またカプセル１０の他端側は、所定距離だけ断面Ｄ形状を有し、当該Ｄ形状の第１平面部１３には後述する情報Ｍが付される。また、第１平面部１３の他端側には、第１平面部１３に対して一段下がって形成される第２平面部１５が設けられ、当該第２平面部１５には、２０個のガラス素子Ｇに対応する１〜２０の通し番号の情報が組み込まれた２次元コード１２が付される。２次元コード１２は具体的には、データマトリクスコードまたはＱＲコードである。この構成によれば、２次元コード１２は一段下がって形成された第２平面部１５に設けられるため、２次元コード１２が傷つくのを防止できる。また、カプセル１０の一端側の外周には、第１平面部１３に平行であって互いに離れる方向に延在する一対の突出部１４を有する。なお、本実施形態では、カプセル１０に２次元コード１２が付されるが、ガラス素子Ｇに２次元コード１２が付されても、ガラス素子Ｇ及びカプセル１０に付されてもよい。カプセル１０の材質は、例えばゴム材料または樹脂材料である。
【００１７】
ガラス素子Ｇ及びカプセル１０にはさらに、ガラス素子Ｇ及びカプセル１０を対応付けるための情報Ｍが付される。情報Ｍは例えば、１〜２０の通し番号が記されたＩＤ番号であるが、これに限られず、数の異なるドットや記号等であってもよい。情報Ｍが設けられることにより、ガラス素子Ｇを落下したときに、落下したガラス素子Ｇを対応するカプセル１０に収納できる。
【００１８】
プラグ９０は、カプセル１０の開口部１１に挿入される凸部９１と、挿入・抜去時に把持される把持部９２と、を有する。ガラス素子Ｇがカプセル１０内に収納された状態で、プラグ９０の凸部９１がカプセル１０の開口部１１に挿入されることによって、ガラス素子Ｇがカプセル１０内に保持される。
【００１９】
図３（Ａ）は、本実施形態に係るカプセルブロック２０を示す側面図であって、図３（Ｂ）は、図３（Ａ）のＢ−Ｂ線に沿う断面図である。図４は、カプセルブロック２０の保持穴２１に、ガラス素子Ｇ及びカプセル１０が保持された状態を示す断面図である。
【００２０】
カプセルブロック２０には、２０個のカプセル１０が保持される。カプセルブロック２０は、図３，４に示すように、２０個の保持穴２１と、第１の経路２２と、第１把持部２３と、溝部２４と、を有する。カプセルブロック２０は、ガラス素子移送治具４０に着脱可能である。カプセルブロック２０の材質は、例えばアクリルである。
【００２１】
保持穴２１には、カプセル１０が開口部１１側から挿入されて、ガラス素子Ｇ及びカプセル１０が保持される。このため、保持穴２１の内径は、カプセル１０が摺動可能な程度に設けられている。保持穴２１は、図３（Ａ）に示すように、複数段（例えば２段）かつ第１の経路２２と交差する方向から見て第１の経路２２が重ならないように、互い違いに配置されている。この構成によれば、カプセルブロック２０が一定長さを有する場合において、カプセルブロック２０がカプセル１０を保持する個数を稼ぐことができる。保持穴２１は、図３（Ａ）において上下方向に周期Ｔの等間隔で設けられている。
【００２２】
第１の経路２２は、図４に示すように、カプセル１０の開口部１１と連通され、ガラス素子Ｇは、第１の経路２２を介して、カプセル１０からガラス素子移送治具４０へ移送される。このため、第１の経路２２の内径は、ガラス素子Ｇが通過可能に設けられている。第１の経路２２は、カプセル１０を保持穴２１に挿入する方向と略平行に設けられている。
【００２３】
第１把持部２３は、カプセルブロック２０をガラス素子移送治具４０に取付けるときに把持される。
【００２４】
溝部２４には、一対の突出部１４が挿入される。溝部２４は、図３（Ａ）において上下方向に沿って２列設けられ、溝部２４の図３（Ａ）における左右方向の幅は突出部１４の第１平面部１３に直交する方向の幅よりわずかに大きく、かつ溝部２４の深さは保持穴２１の深さと略同じ深さに設けられる。このように構成された溝部２４によれば、カプセル１０を保持穴２１に挿入する際、一対の突出部１４を溝部２４に沿って挿入することによって、カプセル１０の挿入がガイドされる。そして挿入後には、第２平面部１５に設けられた２次元コード１２が後述する２次元コードリーダー６１側を向くため、２次元コードリーダー６１による読取りが容易となる。
【００２５】
図５は、本実施形態に係る読取マガジン３０を示す斜視図である。
【００２６】
読取マガジン３０は、２０個のガラス素子を収容する収容部３１を有し、収容部３１が２０個のガラス素子Ｇを収容した状態で放射線量を測定する測定機５０内に載置される。読取マガジン３０は、薄型直方体形状を有し、ガラス素子移送治具４０に着脱可能である。読取マガジン３０は、図５に示すように、ガラス素子Ｇが収容され短辺に平行に２０個形成される収容部３１と、ガラス素子Ｇの両端を保持する凹状の溝３２と、収容部３１に収容されるガラス素子Ｇの中央部分を横切るように底面に設けられる開口窓３３と、上面に設けられた上面部３４と、を有する。読取マガジン３０の材質は樹脂である。なお、これに限られず耐熱性の金属であってもよい。読取マガジン３０の材質が耐熱性の金属であれば、電気炉８０においてアニール処理をする際に、耐熱性の金属トレー８１に配置する工程を省略できる。
【００２７】
図６（Ａ）は、本実施形態に係るガラス素子移送治具４０を示す上面図であって、図６（Ｂ）は、本実施形態に係るガラス素子移送治具４０を示す正面図である。
【００２８】
ガラス素子移送治具４０は、２０個のカプセル１０と読取マガジン３０との間で、ガラス素子Ｇの配列を維持したまま、２０個のガラス素子Ｇを移送する。ガラス素子移送治具４０は、図６（Ａ）、（Ｂ）に示すように、カプセルブロック２０が保持される保持部４１と、保持部４１に連結され第２の経路４２１を内部に有する本体部４２と、ガラス素子Ｇの落下を防止しつつスライドされることによってガラス素子Ｇを収容部３１に移送するシャッター４３と、を有する。ガラス素子移送治具４０はさらに、読取マガジン３０が載置される載置部４４と、載置部４４に載置された読取マガジン３０の収容部３１がガラス素子Ｇを受け取り可能な第１の場所から、読取マガジン３０を取り外し可能な第２の場所まで載置部４４を移動させ得るレール４５と、を有する。図６（Ａ）、（Ｂ）では、載置部４４が第２の場所に配置された状態を示す。また図６（Ｂ）において、載置部４４がレール４５に沿って左側に移動して、載置部４４が第１静止部４９に接触した場所が第１の場所である。ガラス素子移送治具４０はさらに、保持部４１を傾斜させる回動部４６と、保持部４１及びレール４５に連結されるベース部４７と、を有する。この構成によれば、回動部４６を回動することによって、保持部４１が傾斜され、これに伴って保持部４１に連結された本体部４２及びシャッター４３が傾斜される。また同時に、保持部４１に連結されるベース部４７が傾斜され、これに伴って載置部４４及びレール４５が傾斜される。すなわち、回動部４６を回動することによって、保持部４１、本体部４２、シャッター４３、載置部４４、及びレール４５が傾斜される。このため、カプセルブロック２０が保持部４１に保持された状態において回動部４６を回動することによって、第１の経路２２及び第２の経路４２１が傾斜され、２０個のガラス素子Ｇの移送が重力によって行われる。なお、ガラス素子移送治具４０の各部品間の連結は、例えばボルト及びナットによって行われるが、これに限られない。
【００２９】
保持部４１は、カプセルブロック２０を保持する。このため、保持部４１は、カプセルブロック２０に対して、幅、高さともにわずかに大きい第１溝４１１を有する。保持部４１の材質は、例えばアクリルである。
【００３０】
本体部４２は、内部に第２の経路４２１が設けられ、第２の経路４２１は、第１の経路２２から移送されるガラス素子Ｇをシャッター４３の貫通孔４３１に連通する。第２の経路４２１は、第１の経路２２に略平行であって一端が第１の経路２２に連通し他端が閉塞する閉塞部４２４を有する第１通路４２２、及び第１通路４２２に交差し一端が第１通路４２２に連通し他端がシャッター４３に連通する第２通路４２３を有する。第１通路４２２は、図６（Ａ）において上下方向に周期Ｔの等間隔で設けられる。本体部４２の材質は、例えばアクリルである。
【００３１】
シャッター４３は、ガラス素子Ｇの落下を防止しつつスライドされることによってガラス素子Ｇを収容部３１に移送する。シャッター４３は、図６（Ａ）において上下方向にスライドされる。シャッター４３は、図６（Ｂ）に示すように、本体部４２の下方に設けられ、読取マガジン３０が載置部４４にセットされ載置部４４が第１の場所に配置されているときに、収容部３１の上方に設けられる。シャッター４３は、第１通路４２２と同じ周期Ｔで形成される貫通孔４３１を有する。シャッター４３は、スプリング（不図示）により付勢されており、読取マガジン３０が載置部４４にセットされ載置部４４が第１の場所に配置されている場合であって定常状態のとき、貫通孔４３１は読取マガジン３０の上面部３４に対応する位置に配置される。このとき、上面部３４上にガラス素子Ｇが配置される。換言すれば、ガラス素子Ｇの落下が防止される。一方、シャッター４３を半周期Ｔ／２だけスライドすることによって、貫通孔４３１に配置されるガラス素子Ｇは半周期Ｔ／２だけスライドされて、読取マガジン３０の収容部３１に対応する位置に移動されるため、ガラス素子Ｇは下向きに落下し、読取マガジン３０の収容部３１に収容される（図１２参照）。なお、シャッター４３が半周期Ｔ／２だけ移動したときに、移動を静止させる第２静止部（不図示）が設けられることが好ましい。シャッター４３の材質は、例えばアクリルである。
【００３２】
載置部４４は、読取マガジン３０を載置する。このため、載置部４４は、読取マガジン３０に対して、幅、高さともにわずかに大きい第２溝４４１を有する。載置部４４は、レール４５に沿って載置部４４を第１の場所と第２の場所との間を移動させるときに把持される第２把持部４４２を有する。載置部４４が第１の場所に配置されるとき、磁石（不図示）によって、載置部４４及び第１静止部４９は固定される。このため、回動部４６によって載置部４４が傾斜されたときでも、載置部４４は第１静止部４９に固定され、第１の場所を維持できる。載置部４４の材質は、例えばアクリルである。またレール４５の材質は、例えばアルミである。
【００３３】
回動部４６は、第１の経路２２及び第２の経路４２１を傾斜させる。回動部４６は、保持部４１の内部に設けられた貫通孔（不図示）に挿入されて回動部４６の回動と同期して保持部４１を回動させる軸部４６１と、軸部４６１を回動させるために把持される第３把持部４６２と、を有する。なお、図６（Ｂ）において、明瞭化のため第３把持部４６２は省略する。軸部４６１は、２つの軸受部４８によって回動自在に軸受される。軸部４６１の材質は、例えば鉄である。また第３把持部４６２の材質は、例えばプラスチックである。
【００３４】
ベース部４７は、保持部４１及びレール４５に連結される。ベース部４７の材質は、例えばアクリルである。
【００３５】
図７は、本実施形態に係る測定機５０を示す斜視図である。
【００３６】
測定機５０は、読取マガジン３０に収容されたガラス素子Ｇに照射された放射線量を測定する。測定機５０は、図７に示すように、容器５１と、読取マガジン搬送部５２と、紫外線照射部５３と、蛍光検出部５４と、を有する。
【００３７】
容器５１は、読取マガジン搬送部５２、紫外線照射部５３及び蛍光検出部５４を内部に収納する。容器５１は、読取マガジン搬送部５２、紫外線照射部５３及び蛍光検出部５４が配置されたケース部５１１及びケース部５１１を覆うカバー部５１２から構成される。カバー部５１２は、第１カバー５１３及び第２カバー５１４から構成され、第１カバー５１３内は、読取マガジン搬送部５２及び蛍光検出部５４を覆う暗箱となっている。第１カバー５１３には蛍光検出部５４の上方に開閉カバー５１５が設けられている。
【００３８】
読取マガジン搬送部５２は、読取マガジン３０を測定位置に搬送する。読取マガジン搬送部５２は、読取マガジン３０が上部に載置されるマガジンテーブル５２１と、マガジンテーブル５２１を水平移動させる直動ユニット５２２と、を有する。マガジンテーブル５２１には、読取マガジン３０を保持する保持部材５２３と、検出感度校正用の標準ガラスであるキャリブレーションガラス５２４と、が設けられている。
【００３９】
紫外線照射部５３は、マガジンテーブル５２１に載置された読取マガジン３０の収容部３１が収容するガラス素子Ｇに紫外線を照射して、ガラス素子Ｇを励起状態にする。紫外線照射部５３は、ケース部５１１の上部に配置され紫外線レーザーを発振するレーザー発振器５３１と、レーザー発振器５３１からガラス素子Ｇへの紫外線通過位置に設けられレーザー発振器５３１の出力を補正するリファレンスユニット５３２と、から構成される。レーザー発振器５３１は例えば、３００ｎｍ〜４００ｎｍ程度の波長の紫外線レーザーを発振する窒素ガスレーザーである。
【００４０】
蛍光検出部５４は、レーザー発振器５３１によって紫外線を照射した際にガラス素子Ｇから発生する蛍光を検出する。蛍光検出部５４は、ガラス素子Ｇから発生する蛍光を電気信号に増倍して変換する光電子増倍管５４１及びガラス素子Ｇから発生する蛍光を集光して光電子増倍管５４１に入射するレンズ（不図示）を有する。
【００４１】
読取装置６０は、カプセル１０に付された２次元コード１２を読み取る。読取装置６０は、図１に示すように、２次元コードリーダー６１及び２次元コード１２にＬＥＤを照射するＬＥＤ照射部６２から構成される。２次元コードリーダー６１は、例えばキーエンス社製ＳＲ−Ｄ１００である。
【００４２】
制御装置７０は、読取装置６０によって２次元コード１２を読み取って得られる通し番号を含むテーブルＴを作製する。測定機５０は、測定された放射線量データを通し番号に対応付けてテーブルＴに順次書き込み、放射線量データが書き込まれたテーブルＴをデータとして制御装置７０内に保存する。そして、当該データにアクセスすることによってテーブルＴが制御装置７０の表示部７１に表示される。表示部７１は、例えばディスプレイである。
【００４３】
電気炉８０は、放射線が照射されたガラス素子Ｇを所定時間所定温度で加熱して、ガラス素子Ｇに蓄えられる放射線を除去する。この処理は、一般的にアニール処理と称される。アニール処理する際、読取マガジン３０が樹脂製であるためアニール処理の処理温度に耐えられない。よって、読取マガジン３０から耐熱性の金属トレー８１にガラス素子Ｇを移し替える必要がある。図８は、耐熱性の金属トレー８１を示す上面図である。耐熱性の金属トレー８１は、図８に示すように、ガラス素子Ｇが収納される収納部８１１と、読取マガジン３０に嵌まる載置溝８１２と、ガラス素子Ｇを読取マガジン３０から移動するときに把持する第４把持部８１３と、を有する。収納部８１１は、載置溝８１２に読取マガジン３０を嵌めたとき、読取マガジン３０の収容部３１と一致するように設けられている。
【００４４】
次に、図２，９〜１６を参照して、上記のように構成した放射線量測定システム１によって、アニール処理後に放射線が照射された２０個のガラス素子Ｇをカプセル１０から読取マガジン３０に移送し、ガラス素子Ｇに照射された放射線量を測定し、ガラス素子Ｇをアニール処理し、ガラス素子Ｇを読取マガジン３０から２０個のカプセル１０に移送する方法を説明する。なお、図１１、図１２、図１３、図１５、及び図１６において、明瞭化のため、軸受部４８及び第３把持部４６２は省略し、ガラス素子Ｇは実線で示す。
【００４５】
まず、２０個のガラス素子Ｇを電気炉８０内で、所定時間所定温度で加熱し、アニール処理する。電気炉８０によってアニール処理を行うときの処理時間及び処理温度は例えば、２０分、４００℃である。そして、測定機５０によってガラス素子Ｇが潜在的に有する放射線量を測定した後に、適宜ガラス素子Ｇに放射線を照射する。
【００４６】
次に、図２に示すように、放射線が照射された２０個のガラス素子Ｇがそれぞれ収納された２０個のカプセル１０から、プラグ９０を外して、開口部１１側からカプセルブロック２０の保持穴２１にそれぞれ挿入して保持する。
【００４７】
図９は、カプセルブロック２０を保持部４１に挿入する前後の状態を示す上面図である。
【００４８】
図９に示すように、２０個のカプセル１０が保持されたカプセルブロック２０を、ガラス素子移送治具４０の第１溝４１１に、第１の経路２２側から挿入する。挿入後において、第１の経路２２及び第２の経路４２１の第１通路４２２は連通する。またこのとき、第１の経路２２及び第１通路４２２は略水平であって、このときのガラス素子移送治具４０の姿勢を第１姿勢とする。
【００４９】
図１０は、読取マガジン３０が載置された載置部４４が第２の場所から第１の場所に移動する前後の状態を示す上面図である。
【００５０】
図１０に示すように、読取マガジン３０をガラス素子移送治具４０の載置部４４に載置し、第２把持部４４２を把持して載置部４４をレール４５に沿って、図１０の左方向に第２の場所から第１の場所まで第１静止部４９に突き当たるまで移動する。
【００５１】
図１１は、ガラス素子Ｇが第１通路４２２を滑り落ちる様子を示す概略図である。
【００５２】
図１１に示すように、第１姿勢から第３把持部４６２を時計回りに４５度回転させ、ガラス素子移送治具４０を傾斜させる。傾斜後のガラス素子移送治具４０の姿勢を第２姿勢とする。このとき、２０個のカプセル１０内にそれぞれ収納されていた２０個のガラス素子Ｇは、重力によってカプセル１０内から、第１の経路２２を介して、第１通路４２２の閉塞部４２４まで移送される。なお、回動させる角度は、４５度に限られず、ガラス素子Ｇが第１通路４２２の閉塞部４２４まで移送されればよい。ガラス素子移送治具４０は、第２姿勢を維持できるようにロック機構が設けられることが好ましい。
【００５３】
図１２は、シャッター４３を紙面に直交する方向に半周期Ｔ／２だけ移動させて、ガラス素子Ｇを落下させ、収容部３１にガラス素子Ｇを収容する様子を示す概略図である。
【００５４】
図１２に示すように、第２姿勢から第３把持部４６２を反時計回りに４５度回転させ、ガラス素子移送治具４０を第１姿勢に戻す。このとき、閉塞部４２４近傍に配置されていたガラス素子Ｇは、第２通路４２３を介して落下し、シャッター４３の貫通孔４３１の内部であって読取マガジン３０の上面部３４上に配置される。そして、シャッター４３を図１２の紙面手前方向に半周期Ｔ／２だけ移動させる。この結果、読取マガジン３０の上面部３４上に配置されていた２０個のガラス素子Ｇは落下して、読取マガジン３０の収容部３１に収容される。
【００５５】
図１３は、読取マガジン３０が載置された載置部４４が第１の場所から第２の場所に移動された後の状態を示す概略図である。
【００５６】
図１３に示すように、第２把持部４４２を把持して読取マガジン３０が載置された載置部４４をレール４５に沿って、図９の右方向に第１の場所から第２の場所まで移動する。
【００５７】
次に、載置部４４から読取マガジン３０を取り出し、読取マガジン３０を測定機５０のマガジンテーブル５２１に載置する。そして測定機５０によって、ガラス素子Ｇに照射された放射線量を測定する。具体的な測定方法は、公知の技術であるため、ここでは省略する。
【００５８】
次に、ＬＥＤ照射部６２が必要に応じてカプセル１０に付された２次元コード１２にＬＥＤを照射し、２次元コードリーダー６１が２次元コード１２を読み取る。そして、制御装置７０は、読取装置６０によって２次元コード１２を読み取って得られる通し番号を含むテーブルＴを作製する。そして、測定機５０は、測定された放射線量データを通し番号に対応付けてテーブルＴに順次書き込み、放射線量データが書き込まれたテーブルＴをデータとして制御装置７０内に保存する。そして、当該データにアクセスすることによってテーブルＴが表示部７１に表示される。図１４は、表示部７１に表示されるテーブルＴの一例を示す図である。テーブルＴは、図１４に示すように、２次元コードリーダー６１によって２次元コード１２を読み取って得られる通し番号が表示される第１ボックスＢ１と、測定機５０によって測定される放射線量データが表示される第２ボックスＢ２と、を有する。また、図１４に示すようにテーブルＴには、１０回分の測定結果、１０回の平均値（ＡＶＧ）、標準偏差（ＳＤ）、変動係数（ＣＶ）がそれぞれ表示される。
【００５９】
次に、ガラス素子Ｇが収容された読取マガジン３０を覆うように、金属トレー８１を載置溝８１２側から配置し、読取マガジン３０及び金属トレー８１の一体物を落下しないように第４把持部８１３を把持してひっくり返すことで、読取マガジン３０の収容部３１に収容されたガラス素子Ｇは、金属トレー８１の収納部８１１に移される。そして、ガラス素子Ｇが収納された金属トレー８１を、電気炉８０内に載置する。そして、ガラス素子Ｇを電気炉８０内で、所定時間所定温度で加熱し、アニール処理する。電気炉８０によってアニール処理を行うときの処理時間及び処理温度は例えば、２０分、４００℃である。なお、ガラス素子Ｇに照射された放射線量が１Ｇｙ（グレイ）を超える場合の処理時間は１時間が好ましい。
【００６０】
次に、アニール処理されたガラス素子Ｇを、金属トレー８１から読取マガジン３０に戻して、読取マガジン３０を第２の場所に配置される載置部４４に載置して（図１３に示す状態）、載置部４４をレール４５に沿って第１の場所に移動させる（図１２に示す状態）。
【００６１】
図１５は、シャッター４３を紙面に直交する方向に半周期Ｔ／２だけ移動させて、ガラス素子Ｇを落下させ、閉塞部４２４にガラス素子Ｇを収容する様子を示す概略図である。
【００６２】
図１５に示すように、第１姿勢から第３把持部４６２を反時計回りに１８０度回転させ、ガラス素子移送治具４０を第１姿勢から反転した状態にする。反転後のガラス素子移送治具４０の姿勢を第３姿勢とする。このときガラス素子Ｇは、シャッター４３の貫通孔４３１の内部であって本体部４２上に配置される。そして、シャッター４３を図１５の紙面手前方向に半周期Ｔ／２だけ移動させる。この結果、本体部４２上に配置されていた２０個のガラス素子Ｇは、第２通路４２３を介して落下し、第１通路４２２の閉塞部４２４に配置される。なおガラス素子移送治具４０は、第３姿勢を維持できるように、ロック機構が設けられることが好ましい。
【００６３】
図１６は、ガラス素子Ｇが保持部４１に向かって第１通路４２２を滑り落ちる様子を示す概略図である。
【００６４】
図１６に示すように、第３姿勢から第３把持部４６２を時計回りに４５度回転させ、ガラス素子移送治具４０を傾斜させる。このときのガラス素子移送治具４０の姿勢を第４姿勢とする。このとき、第１通路４２２の閉塞部４２４に配置されている２０個のガラス素子Ｇは、重力によって第１通路４２２の閉塞部４２４から、第１通路４２２及び第１の経路２２を介して、２０個のカプセル１０内に収納される。なお、回動させる角度は４５度に限られない。ガラス素子移送治具４０は、第４姿勢を維持できるように、ロック機構が設けられることが好ましい。
【００６５】
次に、第３把持部４６２を時計回りに１３５度回転させて、ガラス素子移送治具４０を第１姿勢に戻す。
【００６６】
以上の工程によって、カプセル１０から読取マガジン３０への移送、放射線量の測定、アニール処理、読取マガジン３０からカプセル１０への移送が順次行われる。
【００６７】
以上説明したように、本実施形態に係る放射線量測定システム１は、放射線が照射された２０個のガラス素子Ｇがそれぞれ収納される２０個のカプセル１０と、２０個のガラス素子Ｇを収容する収容部３１を有し、収容部３１が２０個のガラス素子Ｇを収容した状態で放射線量を測定する測定機５０内に載置される読取マガジン３０と、２０個のカプセル１０と読取マガジン３０との間で、ガラス素子Ｇの配列を維持したまま、２０個のガラス素子Ｇを移送するガラス素子移送治具４０と、を有する。このため、ガラス素子移送治具４０によってガラス素子Ｇの配列を維持したまま、カプセル１０と読取マガジン３０との間で、ガラス素子Ｇを移送することができる。したがって、ガラス素子Ｇの移動が容易で、かつガラス素子Ｇの配置位置の誤りを防止できる放射線量測定システム１を提供することができる。
【００６８】
また、２０個のカプセル１０が保持されるカプセルブロック２０をさらに有し、カプセルブロック２０及び読取マガジン３０は、ガラス素子移送治具４０に着脱可能であって、カプセルブロック２０は、カプセル１０の一端に形成されるガラス素子Ｇが通過可能な開口部３３と連通されガラス素子Ｇをカプセル１０からガラス素子移送治具４０へ移送可能な第１の経路２２を有し、ガラス素子移送治具４０は、第１の経路２２から移送されるガラス素子Ｇを読取マガジン３０の収容部３１に移送する第２の経路４２１を有する。このため、カプセルブロック２０及び読取マガジン３０をガラス素子移送治具４０に取付けた状態で、第１の経路２２及び第２の経路４２１を介して、２０個のガラス素子Ｇを移送することができる。したがって、ガラス素子Ｇの移動がより容易となり、かつより確実にガラス素子Ｇの配置位置の誤りを防止できる。
【００６９】
また、ガラス素子移送治具４０は、第１の経路２２及び第２の経路４２１を傾斜させる回動部４６をさらに有し、２０個のガラス素子Ｇの移送は重力によって行われる。このため、回動部４６を回動することで、第１の経路２２及び第２の経路４２１が傾斜され、ガラス素子Ｇが移送される。したがって、ガラス素子Ｇの移動がより容易となる。
【００７０】
また、第２の経路４２１は、第１の経路２２に略平行であって一端が第１の経路２２に連通し他端が閉塞する閉塞部４２４を有する第１通路４２２、及び第１通路４２２に交差し一端が第１通路４２２に連通し他端が収容部３１に連通する第２通路４２３を有し、ガラス素子移送治具４０は、第２通路４２３及び収容部３１の間に設けられ、ガラス素子Ｇの落下を防止しつつスライドされることによってガラス素子Ｇを収容部３１に移送するシャッター４３をさらに有する。このため、ガラス素子Ｇの移動がより正確となる。
【００７１】
また、カプセルブロック２０は２０個のカプセル１０を、２段かつ第１の経路２２と交差する方向から見て第１の経路２２が重ならないように、互い違いに保持する。このため、カプセルブロック２０が一定長さを有する場合において、カプセルブロック２０がカプセル１０を保持する個数を稼ぐことができる。換言すれば、決められた個数のガラス素子Ｇを移送するとき、カプセルブロック２０がカプセル１０を１段保持する場合に比べて、カプセルブロック２０の長さを小さくすることができ、しいてはガラス素子移送治具４０のサイズを小さくすることができる。
【００７２】
またカプセル１０には、２０個のガラス素子Ｇの個数に対応する１〜２０の通し番号の情報が組み込まれた２次元コード１２が付され、２次元コード１２を読み取る読取装置６０、及び読取装置６０により２次元コード１２を読み取って得られる通し番号を含むテーブルＴを作製する制御装置７０をさらに有し、測定機５０は、測定機５０によって測定された放射線量データを通し番号に対応付けてテーブルＴに順次書き込む。このため、通し番号と放射線量データとの対応付けを正確に行うことができる。
【００７３】
またガラス素子Ｇ及びカプセル１０には、ガラス素子Ｇ及びカプセル１０を対応付けるための情報Ｍが付されている。このため、ガラス素子Ｇを落下させたときでも、ガラス素子Ｇを対応するカプセル１０に収納することができる。
【００７４】
以下、上述した本実施形態の改変例を例示する。
【００７５】
本実施形態に係る第２の経路４２１は、第１通路４２２及び第１通路４２２に交差する第２通路４２３を有した。しかしながら、第２の経路は一端が第１の経路２２に連通し他端が収容部３１に連通する第１の経路２２に略平行な１本の貫通孔によって構成されてもよい。この構成によれば、収容部３１を適切に配置することによって、回動部４６が第１の経路２２及び第２の経路を傾斜させることで、ガラス素子Ｇを収容部３１に収容させることができる。したがってシャッター４３を省略することができ、ガラス素子Ｇの移動がより容易となる。
【００７６】
また、本実施形態に係るガラス素子移送治具４０は、２０個のガラス素子Ｇを移送したが、これに限られず、２個以上移送されればよい。
【００７７】
また、本実施形態では、第１の経路２２及び第１通路４２２は略水平に設けられ、回動部４６を回動することによって、第１の経路２２及び第１通路４２２を傾斜させて、ガラス素子Ｇを移送した。しかしながら、回動部４６が設けられず、第１の経路及び第１通路が傾斜されて設けられていてもよい。
【００７８】
また、本実施形態に係るガラス素子移送治具４０には、カプセルブロック２０が挿入される第１溝４１１が設けられた。しかしながら、第１溝４１１が設けられず、カプセル１０が直接挿入される溝が設けられてもよい。
【００７９】
また、本実施形態では、ガラス素子Ｇは重力によって移送された。しかしながら、これに限られず、電磁力、弾性力、空圧力などによって移送されてもよい。
【符号の説明】
【００８０】
１    放射線量測定システム、
１０    カプセル、
１１    開口部、
１２    ２次元コード、
２０    カプセルブロック、
２２    第１の経路、
３０    読取マガジン、
３１    収容部、
４０    ガラス素子移送治具、
４２１    第２の経路、
４２２    第１通路、
４２３    第２通路、
４３    シャッター、
４６    回動部、
５０    測定機、
６０    読取装置、
７０    制御装置、
Ｇ    ガラス素子、
Ｍ    情報。
【図１】
2014173879.tif 000003
【図２】
2014173879.tif 000004
【図３】
2014173879.tif 000005
【図４】
2014173879.tif 000006
【図５】
2014173879.tif 000007
【図６（Ａ）】
2014173879.tif 000008
【図６（Ｂ）】
2014173879.tif 000009
【図７】
2014173879.tif 000010
【図８】
2014173879.tif 000011
【図９】
2014173879.tif 000012
【図１０】
2014173879.tif 000013
【図１１】
2014173879.tif 000014
【図１２】
2014173879.tif 000015
【図１３】
2014173879.tif 000016
【図１４】
2014173879.tif 000017
【図１５】
2014173879.tif 000018
【図１６】
2014173879.tif 000019
【手続補正書】
【提出日】平成25年11月6日(2013.11.6)
【手続補正１】
【補正対象書類名】特許請求の範囲
【補正対象項目名】全文
【補正方法】変更
【補正の内容】
【特許請求の範囲】
【請求項１】
放射線が照射された複数のガラス素子がそれぞれ収納される複数のホルダーと、
複数の前記ガラス素子を収容する収容部が設けられ、前記収容部に複数の前記ガラス素子を収容した状態で放射線量を測定する測定機内に載置される読取マガジンと、
複数の前記ホルダーと前記読取マガジンとの間で、前記ガラス素子の配列を維持したまま、複数の前記ガラス素子を移送するガラス素子移送治具と、を有する放射線量測定システム。
【請求項２】
複数の前記ホルダーが保持されるホルダーブロックをさらに有し、
前記ホルダーブロック及び前記読取マガジンは、前記ガラス素子移送治具に着脱可能であって、
前記ホルダーブロックは、前記ホルダーの一端に形成される前記ガラス素子が通過可能な開口部と連通され前記ガラス素子を前記ホルダーから前記ガラス素子移送治具へ移送可能な第１の経路を有し、
前記ガラス素子移送治具は、前記第１の経路から移送される前記ガラス素子を前記読取マガジンの前記収容部に移送する第２の経路を有する請求項１に記載の放射線量測定システム。
【請求項３】
前記ガラス素子移送治具は、前記第１の経路及び前記第２の経路を傾斜させる回動部をさらに有し、複数の前記ガラス素子の移送は重力によって行われる請求項２に記載の放射線量測定システム。
【請求項４】
前記第２の経路は、前記第１の経路に略平行であって一端が前記第１の経路に連通し他端が閉塞する閉塞部を有する第１通路、及び前記第１通路に交差し一端が前記第１通路に連通し他端が前記収容部に連通する第２通路を有し、
前記ガラス素子移送治具は、前記第２通路及び前記収容部の間に設けられ、前記ガラス素子の落下を防止しつつスライドされることによって前記ガラス素子を前記収容部に移送するシャッターをさらに有する請求項２または３に記載の放射線量測定システム。
【請求項５】
前記ホルダーブロックは複数の前記ホルダーを、複数段かつ前記第１の経路と交差する方向から見て前記第１の経路が重ならないように、互い違いに保持する請求項２〜４のいずれか１項に記載の放射線量測定システム。
【請求項６】
前記ガラス素子及び前記ホルダーの少なくとも一方には、複数の前記ガラス素子の個数に対応する通し番号の情報が組み込まれた２次元コードが付され、
前記２次元コードを読み取る読取装置、及び前記読取装置により前記２次元コードを読み取って得られる前記通し番号を含むテーブルを作製する制御装置をさらに有し、
前記測定機は、前記測定機によって測定された放射線量データを前記通し番号に対応付けて前記テーブルに順次書き込む請求項１〜５のいずれか１項に記載の放射線量測定システム。
【請求項７】
前記ガラス素子及び前記ホルダーには、前記ガラス素子及び前記ホルダーを対応付けるための情報が付されている請求項１〜６に記載の放射線量測定システム。
【手続補正２】
【補正対象書類名】明細書
【補正対象項目名】０００５
【補正方法】変更
【補正の内容】
【０００５】
特許文献１に記載の技術では、放射線が照射された蛍光ガラス素子を測定用のマガジンに載置する際、一般的に作業者はピンセットによってホルダーに収納された蛍光ガラス素子を取り出し、マガジンに載置している。したがって、蛍光ガラス素子の移動が困難であり、かつ蛍光ガラス素子をマガジン上の誤った位置に配置する可能性があるという問題がある。
【手続補正３】
【補正対象書類名】明細書
【補正対象項目名】０００７
【補正方法】変更
【補正の内容】
【０００７】
上記目的を達成する本発明に係る放射線量測定システムは、放射線が照射された複数のガラス素子がそれぞれ収納される複数のホルダーと、複数の前記ガラス素子を収容する収容部を有し、前記収容部が複数の前記ガラス素子を収容した状態で放射線量を測定する測定機内に載置される読取マガジンと、複数の前記ホルダーと前記読取マガジンとの間で、前記ガラス素子の配列を維持したまま、複数の前記ガラス素子を移送するガラス素子移送治具と、を有する放射線量測定システムである。
【手続補正４】
【補正対象書類名】明細書
【補正対象項目名】０００８
【補正方法】変更
【補正の内容】
【０００８】
上記のように構成した放射線量測定システムであれば、ガラス素子移送治具によってガラス素子の配列を維持したまま、ホルダーと読取マガジンとの間で、ガラス素子を移送することができる。このため、ガラス素子の移動が容易で、かつガラス素子の配置位置の誤りを防止できる放射線量測定システムを提供することができる。
【手続補正５】
【補正対象書類名】明細書
【補正対象項目名】０００９
【補正方法】変更
【補正の内容】
【０００９】
【図１】本発明の実施形態に係る放射線量測定システムを示す概略図である。
【図２】本実施形態に係るガラス素子、ホルダー及びキャップを示す斜視図である。
【図３】図３（Ａ）は、本実施形態に係るホルダーブロックを示す側面図であって、図３（Ｂ）は、図３（Ａ）のＢ−Ｂ線に沿う断面図である。
【図４】ホルダーブロックの保持穴に、ガラス素子及びホルダーが保持された状態を示す断面図である。
【図５】本実施形態に係る読取マガジンを示す斜視図である。
【図６（Ａ）】本実施形態に係るガラス素子移送治具を示す上面図である。
【図６（Ｂ）】本実施形態に係るガラス素子移送治具を示す正面図である。
【図７】本実施形態に係る測定機を示す斜視図である。
【図８】本実施形態に係る耐熱性の金属トレーを示す上面図である。
【図９】ホルダーブロックを保持部に挿入する前後の状態を示す上面図である。
【図１０】読取マガジンが載置された載置部が第２の場所から第１の場所に移動する前後の状態を示す上面図である。
【図１１】ガラス素子が第１通路を滑り落ちる様子を示す概略図である。
【図１２】シャッターを半周期だけ移動させてガラス素子を落下させ、収容部にガラス素子を収容する様子を示す概略図である。
【図１３】読取マガジンが載置された載置部が第１の場所から第２の場所に移動された後の状態を示す概略図である。
【図１４】表示部に表示されるテーブルの一例を示す図である。
【図１５】シャッターを半周期だけ移動させてガラス素子を落下させ、閉塞部にガラス素子が配置される様子を示す概略図である。
【図１６】ガラス素子が第１通路を滑り落ちる様子を示す概略図である。
【手続補正６】
【補正対象書類名】明細書
【補正対象項目名】００１２
【補正方法】変更
【補正の内容】
【００１２】
本実施形態に係る放射線量測定システム１は、概説すると、図１に示すように、放射線が照射された複数個（例えば２０個）のガラス素子Ｇがそれぞれ収納される２０個のホルダー１０と、２０個のガラス素子Ｇを収容する収容部３１が設けられ収容部３１に２０個のガラス素子Ｇを収容した状態で放射線量を測定する測定機５０内に載置される読取マガジン３０と、２０個のホルダー１０と読取マガジン３０との間で、ガラス素子Ｇの配列を維持したまま、２０個のガラス素子Ｇを移送するガラス素子移送治具４０と、を有する。以下、詳述する。
【手続補正７】
【補正対象書類名】明細書
【補正対象項目名】００１３
【補正方法】変更
【補正の内容】
【００１３】
放射線量測定システム１は、図１に示すように、２０個のホルダー１０、ホルダーブロック２０、読取マガジン３０、ガラス素子移送治具４０、測定機５０、読取装置６０、制御装置７０及び電気炉８０を有する。
【手続補正８】
【補正対象書類名】明細書
【補正対象項目名】００１４
【補正方法】変更
【補正の内容】
【００１４】
図２は、本実施形態に係るガラス素子Ｇ、ホルダー１０及びキャップ９０を示す斜視図である。
【手続補正９】
【補正対象書類名】明細書
【補正対象項目名】００１６
【補正方法】変更
【補正の内容】
【００１６】
ホルダー１０は、放射線が照射された２０個のガラス素子Ｇをそれぞれ収納する。ホルダー１０は、図２に示すように、一端に形成されガラス素子Ｇが通過可能な開口部１１を有する。またホルダー１０の他端側は、所定距離だけ断面Ｄ形状を有し、当該Ｄ形状の第１平面部１３には後述する情報Ｍが付される。また、第１平面部１３の他端側には、第１平面部１３に対して一段下がって形成される第２平面部１５が設けられ、当該第２平面部１５には、２０個のガラス素子Ｇに対応する１〜２０の通し番号の情報が組み込まれた２次元コード１２が付される。２次元コード１２は具体的には、データマトリクスコードまたはＱＲコードである。この構成によれば、２次元コード１２は一段下がって形成された第２平面部１５に設けられるため、２次元コード１２が傷つくのを防止できる。また、ホルダー１０の一端側の外周には、第１平面部１３に平行であって互いに離れる方向に延在する一対の突出部１４を有する。なお、本実施形態では、ホルダー１０に２次元コード１２が付されるが、ガラス素子Ｇに２次元コード１２が付されても、ガラス素子Ｇ及びホルダー１０に付されてもよい。ホルダー１０の材質は、例えばゴム材料または樹脂材料である。
【手続補正１０】
【補正対象書類名】明細書
【補正対象項目名】００１７
【補正方法】変更
【補正の内容】
【００１７】
ガラス素子Ｇ及びホルダー１０にはさらに、ガラス素子Ｇ及びホルダー１０を対応付けるための情報Ｍが付される。情報Ｍは例えば、１〜２０の通し番号が記されたＩＤ番号であるが、これに限られず、数の異なるドットや記号等であってもよい。情報Ｍが設けられることにより、ガラス素子Ｇを落下したときに、落下したガラス素子Ｇを対応するホルダー１０に収納できる。
【手続補正１１】
【補正対象書類名】明細書
【補正対象項目名】００１８
【補正方法】変更
【補正の内容】
【００１８】
キャップ９０は、ホルダー１０の開口部１１に挿入される凸部９１と、挿入・抜去時に把持される把持部９２と、を有する。ガラス素子Ｇがホルダー１０内に収納された状態で、キャップ９０の凸部９１がホルダー１０の開口部１１に挿入されることによって、ガラス素子Ｇがホルダー１０内に保持される。
【手続補正１２】
【補正対象書類名】明細書
【補正対象項目名】００１９
【補正方法】変更
【補正の内容】
【００１９】
図３（Ａ）は、本実施形態に係るホルダーブロック２０を示す側面図であって、図３（Ｂ）は、図３（Ａ）のＢ−Ｂ線に沿う断面図である。図４は、ホルダーブロック２０の保持穴２１に、ガラス素子Ｇ及びホルダー１０が保持された状態を示す断面図である。
【手続補正１３】
【補正対象書類名】明細書
【補正対象項目名】００２０
【補正方法】変更
【補正の内容】
【００２０】
ホルダーブロック２０には、２０個のホルダー１０が保持される。ホルダーブロック２０は、図３，４に示すように、２０個の保持穴２１と、第１の経路２２と、第１把持部２３と、溝部２４と、を有する。ホルダーブロック２０は、ガラス素子移送治具４０に着脱可能である。ホルダーブロック２０の材質は、例えばアクリルである。
【手続補正１４】
【補正対象書類名】明細書
【補正対象項目名】００２１
【補正方法】変更
【補正の内容】
【００２１】
保持穴２１には、ホルダー１０が開口部１１側から挿入されて、ガラス素子Ｇ及びホルダー１０が保持される。このため、保持穴２１の内径は、ホルダー１０が摺動可能な程度に設けられている。保持穴２１は、図３（Ａ）に示すように、複数段（例えば２段）かつ第１の経路２２と交差する方向から見て第１の経路２２が重ならないように、互い違いに配置されている。この構成によれば、ホルダーブロック２０が一定長さを有する場合において、ホルダーブロック２０がホルダー１０を保持する個数を稼ぐことができる。保持穴２１は、図３（Ａ）において上下方向に周期Ｔの等間隔で設けられている。
【手続補正１５】
【補正対象書類名】明細書
【補正対象項目名】００２２
【補正方法】変更
【補正の内容】
【００２２】
第１の経路２２は、図４に示すように、ホルダー１０の開口部１１と連通され、ガラス素子Ｇは、第１の経路２２を介して、ホルダー１０からガラス素子移送治具４０へ移送される。このため、第１の経路２２の内径は、ガラス素子Ｇが通過可能に設けられている。第１の経路２２は、ホルダー１０を保持穴２１に挿入する方向と略平行に設けられている。
【手続補正１６】
【補正対象書類名】明細書
【補正対象項目名】００２３
【補正方法】変更
【補正の内容】
【００２３】
第１把持部２３は、ホルダーブロック２０をガラス素子移送治具４０に取付けるときに把持される。
【手続補正１７】
【補正対象書類名】明細書
【補正対象項目名】００２４
【補正方法】変更
【補正の内容】
【００２４】
溝部２４には、一対の突出部１４が挿入される。溝部２４は、図３（Ａ）において上下方向に沿って２列設けられ、溝部２４の図３（Ａ）における左右方向の幅は突出部１４の第１平面部１３に直交する方向の幅よりわずかに大きく、かつ溝部２４の深さは保持穴２１の深さと略同じ深さに設けられる。このように構成された溝部２４によれば、ホルダー１０を保持穴２１に挿入する際、一対の突出部１４を溝部２４に沿って挿入することによって、ホルダー１０の挿入がガイドされる。そして挿入後には、第２平面部１５に設けられた２次元コード１２が後述する２次元ＩＤコードリーダー６１側を向くため、２次元ＩＤコードリーダー６１による読取りが容易となる。
【手続補正１８】
【補正対象書類名】明細書
【補正対象項目名】００２８
【補正方法】変更
【補正の内容】
【００２８】
ガラス素子移送治具４０は、２０個のホルダー１０と読取マガジン３０との間で、ガラス素子Ｇの配列を維持したまま、２０個のガラス素子Ｇを移送する。ガラス素子移送治具４０は、図６（Ａ）、（Ｂ）に示すように、ホルダーブロック２０が保持される保持部４１と、保持部４１に連結され第２の経路４２１を内部に有する本体部４２と、ガラス素子Ｇの落下を防止しつつスライドされることによってガラス素子Ｇを収容部３１に移送するシャッター４３と、を有する。ガラス素子移送治具４０はさらに、読取マガジン３０が載置される載置部４４と、載置部４４に載置された読取マガジン３０の収容部３１がガラス素子Ｇを受け取り可能な第１の場所から、読取マガジン３０を取り外し可能な第２の場所まで載置部４４を移動させ得るレール４５と、を有する。図６（Ａ）、（Ｂ）では、載置部４４が第２の場所に配置された状態を示す。また図６（Ｂ）において、載置部４４がレール４５に沿って左側に移動して、載置部４４が第１静止部４９に接触した場所が第１の場所である。ガラス素子移送治具４０はさらに、保持部４１を傾斜させる回動部４６と、保持部４１及びレール４５に連結されるベース部４７と、を有する。この構成によれば、回動部４６を回動することによって、保持部４１が傾斜され、これに伴って保持部４１に連結された本体部４２及びシャッター４３が傾斜される。また同時に、保持部４１に連結されるベース部４７が傾斜され、これに伴って載置部４４及びレール４５が傾斜される。すなわち、回動部４６を回動することによって、保持部４１、本体部４２、シャッター４３、載置部４４、及びレール４５が傾斜される。このため、ホルダーブロック２０が保持部４１に保持された状態において回動部４６を回動することによって、第１の経路２２及び第２の経路４２１が傾斜され、２０個のガラス素子Ｇの移送が重力によって行われる。なお、ガラス素子移送治具４０の各部品間の連結は、例えばボルト及びナットによって行われるが、これに限られない。
【手続補正１９】
【補正対象書類名】明細書
【補正対象項目名】００２９
【補正方法】変更
【補正の内容】
【００２９】
保持部４１は、ホルダーブロック２０を保持する。このため、保持部４１は、ホルダーブロック２０に対して、幅、高さともにわずかに大きい第１溝４１１を有する。保持部４１の材質は、例えばアクリルである。
【手続補正２０】
【補正対象書類名】明細書
【補正対象項目名】００４１
【補正方法】変更
【補正の内容】
【００４１】
読取装置６０は、ホルダー１０に付された２次元コード１２を読み取る。読取装置６０は、図１に示すように、２次元ＩＤコードリーダー６１及び２次元コード１２にＬＥＤを照射するＬＥＤ照射部６２から構成される。２次元ＩＤコードリーダー６１は、例えばキーエンス社製ＳＲ−Ｄ１００である。
【手続補正２１】
【補正対象書類名】明細書
【補正対象項目名】００４４
【補正方法】変更
【補正の内容】
【００４４】
次に、図２，９〜１６を参照して、上記のように構成した放射線量測定システム１によって、アニール処理後に放射線が照射された２０個のガラス素子Ｇをホルダー１０から読取マガジン３０に移送し、ガラス素子Ｇに照射された放射線量を測定し、ガラス素子Ｇをアニール処理し、ガラス素子Ｇを読取マガジン３０から２０個のホルダー１０に移送する方法を説明する。なお、図１１、図１２、図１３、図１５、及び図１６において、明瞭化のため、軸受部４８及び第３把持部４６２は省略し、ガラス素子Ｇは実線で示す。
【手続補正２２】
【補正対象書類名】明細書
【補正対象項目名】００４６
【補正方法】変更
【補正の内容】
【００４６】
次に、図２に示すように、放射線が照射された２０個のガラス素子Ｇがそれぞれ収納された２０個のホルダー１０から、キャップ９０を外して、開口部１１側からホルダーブロック２０の保持穴２１にそれぞれ挿入して保持する。
【手続補正２３】
【補正対象書類名】明細書
【補正対象項目名】００４７
【補正方法】変更
【補正の内容】
【００４７】
図９は、ホルダーブロック２０を保持部４１に挿入する前後の状態を示す上面図である。
【手続補正２４】
【補正対象書類名】明細書
【補正対象項目名】００４８
【補正方法】変更
【補正の内容】
【００４８】
図９に示すように、２０個のホルダー１０が保持されたホルダーブロック２０を、ガラス素子移送治具４０の第１溝４１１に、第１の経路２２側から挿入する。挿入後において、第１の経路２２及び第２の経路４２１の第１通路４２２は連通する。またこのとき、第１の経路２２及び第１通路４２２は略水平であって、このときのガラス素子移送治具４０の姿勢を第１姿勢とする。
【手続補正２５】
【補正対象書類名】明細書
【補正対象項目名】００５２
【補正方法】変更
【補正の内容】
【００５２】
図１１に示すように、第１姿勢から第３把持部４６２を時計回りに４５度回転させ、ガラス素子移送治具４０を傾斜させる。傾斜後のガラス素子移送治具４０の姿勢を第２姿勢とする。このとき、２０個のホルダー１０内にそれぞれ収納されていた２０個のガラス素子Ｇは、重力によってホルダー１０内から、第１の経路２２を介して、第１通路４２２の閉塞部４２４まで移送される。なお、回動させる角度は、４５度に限られず、ガラス素子Ｇが第１通路４２２の閉塞部４２４まで移送されればよい。ガラス素子移送治具４０は、第２姿勢を維持できるようにロック機構が設けられることが好ましい。
【手続補正２６】
【補正対象書類名】明細書
【補正対象項目名】００５８
【補正方法】変更
【補正の内容】
【００５８】
次に、ＬＥＤ照射部６２が必要に応じてホルダー１０に付された２次元コード１２にＬＥＤを照射し、２次元ＩＤコードリーダー６１が２次元コード１２を読み取る。そして、制御装置７０は、読取装置６０によって２次元コード１２を読み取って得られる通し番号を含むテーブルＴを作製する。そして、測定機５０は、測定された放射線量データを通し番号に対応付けてテーブルＴに順次書き込み、放射線量データが書き込まれたテーブルＴをデータとして制御装置７０内に保存する。そして、当該データにアクセスすることによってテーブルＴが表示部７１に表示される。図１４は、表示部７１に表示されるテーブルＴの一例を示す図である。テーブルＴは、図１４に示すように、２次元ＩＤコードリーダー６１によって２次元コード１２を読み取って得られる通し番号が表示される第１ボックスＢ１と、測定機５０によって測定される放射線量データが表示される第２ボックスＢ２と、を有する。また、図１４に示すようにテーブルＴには、１０回分の測定結果、１０回の平均値（ＡＶＧ）、標準偏差（ＳＤ）、変動係数（ＣＶ）がそれぞれ表示される。
【手続補正２７】
【補正対象書類名】明細書
【補正対象項目名】００６４
【補正方法】変更
【補正の内容】
【００６４】
図１６に示すように、第３姿勢から第３把持部４６２を時計回りに４５度回転させ、ガラス素子移送治具４０を傾斜させる。このときのガラス素子移送治具４０の姿勢を第４姿勢とする。このとき、第１通路４２２の閉塞部４２４に配置されている２０個のガラス素子Ｇは、重力によって第１通路４２２の閉塞部４２４から、第１通路４２２及び第１の経路２２を介して、２０個のホルダー１０内に収納される。なお、回動させる角度は４５度に限られない。ガラス素子移送治具４０は、第４姿勢を維持できるように、ロック機構が設けられることが好ましい。
【手続補正２８】
【補正対象書類名】明細書
【補正対象項目名】００６６
【補正方法】変更
【補正の内容】
【００６６】
以上の工程によって、ホルダー１０から読取マガジン３０への移送、放射線量の測定、アニール処理、読取マガジン３０からホルダー１０への移送が順次行われる。
【手続補正２９】
【補正対象書類名】明細書
【補正対象項目名】００６７
【補正方法】変更
【補正の内容】
【００６７】
以上説明したように、本実施形態に係る放射線量測定システム１は、放射線が照射された２０個のガラス素子Ｇがそれぞれ収納される２０個のホルダー１０と、２０個のガラス素子Ｇを収容する収容部３１を有し、収容部３１が２０個のガラス素子Ｇを収容した状態で放射線量を測定する測定機５０内に載置される読取マガジン３０と、２０個のホルダー１０と読取マガジン３０との間で、ガラス素子Ｇの配列を維持したまま、２０個のガラス素子Ｇを移送するガラス素子移送治具４０と、を有する。このため、ガラス素子移送治具４０によってガラス素子Ｇの配列を維持したまま、ホルダー１０と読取マガジン３０との間で、ガラス素子Ｇを移送することができる。したがって、ガラス素子Ｇの移動が容易で、かつガラス素子Ｇの配置位置の誤りを防止できる放射線量測定システム１を提供することができる。
【手続補正３０】
【補正対象書類名】明細書
【補正対象項目名】００６８
【補正方法】変更
【補正の内容】
【００６８】
また、２０個のホルダー１０が保持されるホルダーブロック２０をさらに有し、ホルダーブロック２０及び読取マガジン３０は、ガラス素子移送治具４０に着脱可能であって、ホルダーブロック２０は、ホルダー１０の一端に形成されるガラス素子Ｇが通過可能な開口部３３と連通されガラス素子Ｇをホルダー１０からガラス素子移送治具４０へ移送可能な第１の経路２２を有し、ガラス素子移送治具４０は、第１の経路２２から移送されるガラス素子Ｇを読取マガジン３０の収容部３１に移送する第２の経路４２１を有する。このため、ホルダーブロック２０及び読取マガジン３０をガラス素子移送治具４０に取付けた状態で、第１の経路２２及び第２の経路４２１を介して、２０個のガラス素子Ｇを移送することができる。したがって、ガラス素子Ｇの移動がより容易となり、かつより確実にガラス素子Ｇの配置位置の誤りを防止できる。
【手続補正３１】
【補正対象書類名】明細書
【補正対象項目名】００７１
【補正方法】変更
【補正の内容】
【００７１】
また、ホルダーブロック２０は２０個のホルダー１０を、２段かつ第１の経路２２と交差する方向から見て第１の経路２２が重ならないように、互い違いに保持する。このため、ホルダーブロック２０が一定長さを有する場合において、ホルダーブロック２０がホルダー１０を保持する個数を稼ぐことができる。換言すれば、決められた個数のガラス素子Ｇを移送するとき、ホルダーブロック２０がホルダー１０を１段保持する場合に比べて、ホルダーブロック２０の長さを小さくすることができ、しいてはガラス素子移送治具４０のサイズを小さくすることができる。
【手続補正３２】
【補正対象書類名】明細書
【補正対象項目名】００７２
【補正方法】変更
【補正の内容】
【００７２】
またホルダー１０には、２０個のガラス素子Ｇの個数に対応する１〜２０の通し番号の情報が組み込まれた２次元コード１２が付され、２次元コード１２を読み取る読取装置６０、及び読取装置６０により２次元コード１２を読み取って得られる通し番号を含むテーブルＴを作製する制御装置７０をさらに有し、測定機５０は、測定機５０によって測定された放射線量データを通し番号に対応付けてテーブルＴに順次書き込む。このため、通し番号と放射線量データとの対応付けを正確に行うことができる。
【手続補正３３】
【補正対象書類名】明細書
【補正対象項目名】００７３
【補正方法】変更
【補正の内容】
【００７３】
またガラス素子Ｇ及びホルダー１０には、ガラス素子Ｇ及びホルダー１０を対応付けるための情報Ｍが付されている。このため、ガラス素子Ｇを落下させたときでも、ガラス素子Ｇを対応するホルダー１０に収納することができる。
【手続補正３４】
【補正対象書類名】明細書
【補正対象項目名】００７８
【補正方法】変更
【補正の内容】
【００７８】
また、本実施形態に係るガラス素子移送治具４０には、ホルダーブロック２０が挿入される第１溝４１１が設けられた。しかしながら、第１溝４１１が設けられず、ホルダー１０が直接挿入される溝が設けられてもよい。
【手続補正３５】
【補正対象書類名】明細書
【補正対象項目名】００８０
【補正方法】変更
【補正の内容】
【００８０】
１    放射線量測定システム、
１０    ホルダー、
１１    開口部、
１２    ２次元コード、
２０    ホルダーブロック、
２２    第１の経路、
３０    読取マガジン、
３１    収容部、
４０    ガラス素子移送治具、
４２１    第２の経路、
４２２    第１通路、
４２３    第２通路、
４３    シャッター、
４６    回動部、
５０    測定機、
６０    読取装置、
７０    制御装置、
Ｇ    ガラス素子、
Ｍ    情報。